(57)【特許請求の範囲】
【請求項１】
方法において、
中継ノードと通信する１つ以上のユーザ機器（ＵＥ）に関連する１つ以上のパラメータを装置において前記ＵＥから受信することと、
前記１つ以上のパラメータに少なくとも部分的に基づいて、前記中継ノードに対する電力調整値を前記装置において決定することと、
前記電力調整値を含む電力コマンドを前記装置から前記中継ノードに送信することとを含む方法。
【請求項２】
前記１つ以上のパラメータを受信することは、前記中継ノードと通信する前記１つ以上のＵＥに関連する信号対干渉および雑音比（ＳＩＮＲ）を受信することを含む請求項１記載の方法。
【請求項３】
前記中継ノードに対する電力調整値を決定することは、前記ＳＩＮＲを、１つ以上のしきい値のＳＩＮＲ値と比較することに少なくとも部分的に基づく請求項２記載の方法。
【請求項４】
前記中継ノードに対する電力調整値を決定することは、前記ＳＩＮＲを、１つ以上の異なるＵＥの１つ以上の付加的なＳＩＮＲと平均することに少なくとも部分的に基づく請求項２記載の方法。
【請求項５】
前記１つ以上のパラメータを受信することは、前記１つ以上のＵＥとの通信からの、前記中継ノード上の負荷に対応する１つ以上のパラメータを受信することを含む請求項１記載の方法。
【請求項６】
前記中継ノードから、信号対干渉および雑音比（ＳＩＮＲ）を受信することをさらに含む請求項１記載の方法。
【請求項７】
前記中継ノードからの前記ＳＩＮＲに少なくとも部分的に基づいて、ダウンリンクの送信電力を調整することをさらに含む請求項６記載の方法。
【請求項８】
ワイヤレス通信装置において、
１つ以上のユーザ機器（ＵＥ）と中継ノードとの間の通信のための１つ以上のパラメータを前記ＵＥから取得し、
前記１つ以上のパラメータに少なくとも部分的に基づいて、前記中継ノードに対する電力調整値を計算し、
前記電力調整値を前記中継ノードに送信する
ように構成されている少なくとも１つのプロセッサと、前記少なくとも１つのプロセッサに結合されているメモリと
を具備するワイヤレス通信装置。
【請求項９】
前記１つ以上のパラメータは、前記１つ以上のＵＥにおける、前記中継ノードからのダウンリンクの通信に関連する信号対干渉および雑音比（ＳＩＮＲ）を含む請求項８記載のワイヤレス通信装置。
【請求項１０】
前記少なくとも１つのプロセッサは、前記ＳＩＮＲを、しきい値ＳＩＮＲと比較することに少なくとも部分的に基づいて、前記電力調整値を計算する請求項９記載のワイヤレス通信装置。
【請求項１１】
前記少なくとも１つのプロセッサは、前記ＳＩＮＲを、前記中継ノードと通信する１つ以上の異なるＵＥに関連する１つ以上の異なるＳＩＮＲと平均することに少なくとも部分的に基づいて、前記電力調整値を計算する請求項９記載のワイヤレス通信装置。
【請求項１２】
前記１つ以上のパラメータは、前記１つ以上のＵＥとの通信に関連する前記中継ノード上の負荷に関連する請求項８記載のワイヤレス通信装置。
【請求項１３】
前記少なくとも１つのプロセッサは、
前記中継ノードから信号対干渉および雑音比（ＳＩＮＲ）を受信し、
前記ＳＩＮＲに少なくとも部分的に基づいて、異なる電力調整値を発生させ、
前記異なる電力調整値に少なくとも部分的に基づいて、ダウンリンクの送信電力を調整するようにさらに構成されている請求項８記載のワイヤレス通信装置。
【請求項１４】
装置において、
中継ノードと通信する１つ以上のユーザ機器（ＵＥ）に関連する１つ以上のパラメータを前記ＵＥから受信する手段と、
前記１つ以上のパラメータに少なくとも部分的に基づいて、前記中継ノードに対する電力調整値を決定する手段と、
前記電力調整値を含む電力コマンドを前記中継ノードに送信する手段とを備える装置。
【請求項１５】
前記１つ以上のパラメータは、前記１つ以上のＵＥにおける、前記中継ノードからのダウンリンク通信に関連する信号対干渉および雑音比（ＳＩＮＲ）を含む請求項１４記載の装置。
【請求項１６】
前記１つ以上のパラメータは、前記１つ以上のＵＥとの通信に関連する前記中継ノード上の負荷に関連する請求項１４記載の装置。
【請求項１７】
前記中継ノードから信号対干渉および雑音比（ＳＩＮＲ）を受信する手段と、
前記中継ノードからの前記ＳＩＮＲに少なくとも部分的に基づいて、ダウンリンクの送信電力を調整する手段とをさらに具備する請求項１４記載の装置。
【請求項１８】
コンピュータ読み取り可能記憶媒体において、
１つ以上のユーザ機器（ＵＥ）と中継ノードとの間の通信のために１つ以上のパラメータを前記ＵＥから少なくとも１つのコンピュータに取得させるためのコードと、
前記１つ以上のパラメータに少なくとも部分的に基づいて、前記中継ノードに対する電力調整値を前記少なくとも１つのコンピュータに発生させるためのコードと、
前記電力調整値を前記中継ノードに前記少なくとも１つのコンピュータに送信させるためのコードとを含むコンピュータ読み取り可能記憶媒体。
【請求項１９】
前記１つ以上のパラメータは、前記１つ以上のＵＥにおける前記中継ノードからのダウンリンクの通信に関連する信号対干渉および雑音比（ＳＩＮＲ）を含む請求項１８記載のコンピュータ読み取り可能記憶媒体。
【請求項２０】
前記電力調整値を前記少なくとも１つのコンピュータに発生させるための前記コードは、前記ＳＩＮＲを、しきい値ＳＩＮＲと比較することに少なくとも部分的に基づいて前記電力調整値を発生させる請求項１９記載のコンピュータ読み取り可能記憶媒体。
【請求項２１】
前記電力調整値を前記少なくとも１つのコンピュータに発生させるための前記コードは、前記ＳＩＮＲを、前記中継ノードと通信する１つ以上の異なるＵＥに関連する１つ以上の異なるＳＩＮＲと平均することに少なくとも部分的に基づいて前記電力調整値を発生させる請求項１９記載のコンピュータ読み取り可能記憶媒体。
【請求項２２】
前記１つ以上のパラメータは、前記１つ以上のＵＥとの通信に関連する前記中継ノード上の負荷に関連する請求項１８記載のコンピュータ読み取り可能記憶媒体。
【請求項２３】
前記コンピュータ読み取り可能記憶媒体は、
前記中継ノードから信号対干渉および雑音比（ＳＩＮＲ）を前記少なくとも１つのコンピュータに受信させるためのコードと、
前記ＳＩＮＲに少なくとも部分的に基づいて、異なる電力調整値を前記少なくとも１つのコンピュータに発生させるためのコードと、
前記異なる電力調整値に少なくとも部分的に基づいて、ダウンリンクの送信電力を前記少なくとも１つのコンピュータに調整させるためのコードとをさらに含む請求項１８記載のコンピュータプログラム読み取り可能記憶媒体。
【請求項２４】
装置において、
中継ノードと通信する１つ以上のユーザ機器（ＵＥ）に関連する１つ以上のパラメータを前記ＵＥから取得する通信パラメータ受信コンポーネントと、
前記１つ以上のパラメータに少なくとも部分に基づいて、前記中継ノードに対する電力調整値を発生させる電力調整決定コンポーネントと、
前記電力調整値を含む電力コマンドを前記中継ノードに送信する電力コマンド発行コンポーネントとを具備する装置。
【請求項２５】
前記１つ以上のパラメータは、前記１つ以上のＵＥにおける、前記中継ノードからのダウンリンク通信に関連する信号対干渉および雑音比（ＳＩＮＲ）を含む請求項２４記載の装置。
【請求項２６】
前記１つ以上のパラメータは、前記１つ以上のＵＥとの通信に関連する前記中継ノード上の負荷に関連する請求項２４記載の装置。
【請求項２７】
前記中継ノードから信号対干渉および雑音比（ＳＩＮＲ）を取得するＳＩＮＲ受信コンポーネントと、
前記中継ノードからの前記ＳＩＮＲに少なくとも部分的に基づいて、ダウンリンクの送信電力を変更する電力調整コンポーネントとをさらに具備する請求項２４記載の装置。
【請求項２８】
方法において、
１つ以上のユーザ機器（ＵＥ）との通信に関連する１つ以上のパラメータを前記ＵＥからアクセスポイントに提供することと、
前記１つ以上のパラメータに応答して、前記アクセスポイントから電力調整値を中継ノードにおいて受信することと、
前記アクセスポイントから受信された前記電力調整値にしたがって、ダウンリンクの送信電力を調整することとを含む方法。
【請求項２９】
前記１つ以上のＵＥとの通信に少なくとも部分的に基づいて、負荷を決定することをさらに含み、前記１つ以上のパラメータを提供することは、前記負荷に関連する１つ以上のパラメータを提供することを含む請求項２８記載の方法。
【請求項３０】
前記１つ以上のパラメータを提供することは、前記１つ以上のＵＥのうちの少なくとも１つから受信した信号対干渉および雑音比（ＳＩＮＲ）を送信することを含む請求項２８記載の方法。
【請求項３１】
前記アクセスポイントとの通信に関連する信号対干渉および雑音比（ＳＩＮＲ）を測定することと、
前記ＳＩＮＲを前記アクセスポイントに送信することとをさらに含む請求項２８記載の方法。
【請求項３２】
ワイヤレス通信装置において、
１つ以上のユーザ機器（ＵＥ）との通信に関連する１つ以上のパラメータを前記ＵＥからアクセスポイントに通信し、
前記１つ以上のパラメータに少なくとも部分的に基づいて、前記アクセスポイントから電力調整値を中継ノードにおいて取得し、
前記アクセスポイントから受信された前記電力調整値にしたがって、ダウンリンクの送信電力を変更するように構成されている少なくとも１つのプロセッサと、
前記少なくとも１つのプロセッサに結合されているメモリとを具備するワイヤレス通信装置。
【請求項３３】
前記少なくとも１つのプロセッサは、前記１つ以上のＵＥとの通信に少なくとも部分的に基づいて、負荷を決定するようにさらに構成され、前記１つ以上のパラメータは、前記負荷に関連する請求項３２記載のワイヤレス通信装置。
【請求項３４】
前記１つ以上のパラメータは、前記１つ以上のＵＥのうちの少なくとも１つから受信した信号対干渉および雑音比（ＳＩＮＲ）に対応する請求項３２記載のワイヤレス通信装置。
【請求項３５】
前記少なくとも１つのプロセッサは、
前記アクセスポイントとの通信に関連する信号対干渉および雑音比（ＳＩＮＲ）を決定し、
前記ＳＩＮＲを前記アクセスポイントに通信するようにさらに構成されている請求項３２記載のワイヤレス通信装置。
【請求項３６】
装置において、
１つ以上のユーザ機器（ＵＥ）との通信に関連する１つ以上のパラメータを前記ＵＥからアクセスポイントに提供する手段と、
前記１つ以上のパラメータに少なくとも部分的に基づいて、前記アクセスポイントから電力調整値を中継ノードにおいて受信する手段と、
前記アクセスポイントから受信された前記電力調整値にしたがって、ダウンリンクの送信電力を調整する手段とを具備する装置。
【請求項３７】
前記１つ以上のパラメータは、負荷に関連し、前記１つ以上のパラメータを提供する前記手段は、前記１つ以上のＵＥとの通信に少なくとも部分的に基づいて前記負荷を計算する請求項３６記載の装置。
【請求項３８】
前記１つ以上のパラメータは、前記１つ以上のＵＥのうちの少なくとも１つから受信した信号対干渉および雑音比（ＳＩＮＲ）に関連する請求項３６記載の装置。
【請求項３９】
前記アクセスポイントとの通信に関連する信号対干渉および雑音比（ＳＩＮＲ）を測定する手段と、
前記ＳＩＮＲを前記アクセスポイントに送信する手段とをさらに具備する請求項３６記載の装置。
【請求項４０】
コンピュータ読み取り可能記憶媒体において、
少なくとも１つのコンピュータに、１つ以上のユーザ機器（ＵＥ）との通信に関連する１つ以上のパラメータを前記ＵＥからアクセスポイントに通信させるためのコードと、
前記１つ以上のパラメータに少なくとも部分的に基づいて、前記アクセスポイントから電力調整値を前記少なくとも１つのコンピュータに中継ノードにおいて取得させるためのコードと、
前記アクセスポイントから受信された前記電力調整値にしたがって、ダウンリンクの送信電力を前記少なくとも１つのコンピュータに変更させるためのコードとを含むコンピュータ読み取り可能記憶媒体。
【請求項４１】
前記コンピュータ読み取り可能記憶媒体は、前記１つ以上のＵＥに少なくとも部分的に基づいて、負荷を前記少なくとも１つのコンピュータに決定させるためのコードをさらに含み、前記１つ以上のパラメータは、前記負荷に関連する請求項４０記載のコンピュータ読み取り可能記憶媒体。
【請求項４２】
前記１つ以上のパラメータは、前記１つ以上のＵＥのうちの少なくとも１つから受信した信号対干渉および雑音比（ＳＩＮＲ）に対応する請求項４０記載のコンピュータ読み取り可能記憶媒体。
【請求項４３】
前記コンピュータ読み取り可能記憶媒体は、
前記アクセスポイントとの通信に関連する信号対干渉および雑音比（ＳＩＮＲ）を前記少なくとも１つのコンピュータに決定させるためのコードと、
前記少なくとも１つのコンピュータに、前記ＳＩＮＲを前記アクセスポイントに通信させるためのコードとをさらに含む請求項４０記載のコンピュータ読み取り可能記憶媒体。
【請求項４４】
装置において、
１つ以上のユーザ機器（ＵＥ）との通信に関連する１つ以上のパラメータを前記ＵＥからアクセスポイントに提供するコンポーネントと、
前記１つ以上のパラメータに少なくとも部分的に基づいて、前記アクセスポイントから電力調整値を中継ノードにおいて取得する電力調整受信コンポーネントと、
前記アクセスポイントから受信された前記電力調整値にしたがって、ダウンリンクの送信電力を変更する電力調整コンポーネントとを具備する装置。
【請求項４５】
前記１つ以上のパラメータは、負荷に関連し、前記１つ以上のパラメータを前記アクセスポイントに提供する前記コンポーネントは、前記１つ以上のＵＥとの通信に少なくとも部分的に基づいて前記負荷を計算する負荷パラメータ提供コンポーネントである請求項４４記載の装置。
【請求項４６】
前記１つ以上のパラメータは、前記１つ以上のＵＥのうちの少なくとも１つから受信した信号対干渉および雑音比（ＳＩＮＲ）に関連し、前記１つ以上のパラメータを前記アクセスポイントに提供する前記コンポーネントは、通信転送コンポーネントである請求項４４記載の装置。
【請求項４７】
前記アクセスポイントとの通信に関連する信号対干渉および雑音比（ＳＩＮＲ）を決定するＳＩＮＲ測定コンポーネントと、
前記ＳＩＮＲを前記アクセスポイントに送信するＳＩＮＲ通信コンポーネントとをさらに具備する請求項４４記載の装置。
【発明の詳細な説明】
【相互参照】
【０００１】
本出願は、「マルチホップネットワークにおける中継器のフォワードリンクの電力制御」と題する、２００９年１２月１８日に出願された米国仮出願シリアル番号第６１／２８８，１４４号の利益を主張し、この全体は、参照によりここに組み込まれている。
【背景】
【０００２】
Ｉ．分野
本開示は、一般的に、ワイヤレス通信に関し、詳細に述べると、マルチホップワイヤレスネットワークにおける電力制御を提供することに関する。
【０００３】
ＩＩ．背景
例えば、音声、データ等のような、さまざまなタイプの通信コンテンツを提供するために、ワイヤレス通信システムが広範囲に配備されている。典型的なワイヤレス通信システムは、利用可能なシステムリソース（例えば、帯域幅、送信電力、．．．）を共有することによって、複数のユーザとの通信をサポートすることができる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらに類するものを含んでいてもよい。付加的に、システムは、第３世代パートナーシッププロジェクト（３ＧＰＰ）、３ＧＰＰロングタームエボリューション（ＬＴＥ）、ウルトラモバイルブロードバンド（ＵＭＢ）等のような仕様に準拠することができ、高速アップリンクパケットアクセス（ＨＳＵＰＡ)、単一搬送波ＨＳＵＰＡ（ＳＣ−ＨＳＵＰＡ）、デュアル搬送波ＨＳＵＰＡ（ＤＣ−ＨＳＵＰＡ）等のような、１つ以上のプロトコルを使用することができる。
【０００４】
一般的に、ワイヤレス多元接続通信システムは、複数の移動体デバイスに対する通信を同時にサポートすることできる。それぞれの移動体デバイスは、フォワードリンクおよびリバースリンク上での送信を介して、１つ以上のアクセスポイント（例えば、基地局、フェムトセル、ピコセル、中継ノード、および／または、これらに類するもの）と通信してもよい。フォワードリンク（すなわち、ダウンリンク）は、アクセスポイントから移動体デバイスへの通信リンクのことを意味し、そして、リバースリンク（すなわち、アップリンク）は、移動体デバイスからアクセスポイントへの通信リンクのことを意味する。さらに、移動体デバイスとアクセスポイントとの間の通信は、単一入力単一出力（ＳＩＳＯ）システム、複数入力単一出力（ＭＩＳＯ）システム、複数入力複数出力（ＭＩＭＯ）システム等を介して確立してもよい。加えて、移動体デバイスは、他の移動体デバイス（および／または、アクセスポイントは、他のアクセスポイントと）とピアツーピアワイヤレスネットワーク構成で通信することができる。
【０００５】
加えて、セル端における電力をブーストするために、１つ以上の中継ノードを１つ以上のアクセスポイントに提供することができる。この点に関して、例えば、中継ノードは、１つ以上のアクセスポイントから１つ以上の移動体デバイスへのダウンリンク送信を繰り返すことができる。中継ノードは、レイヤ１（Ｌ１）および／またはレイヤ２（Ｌ２）／レイヤ ３（Ｌ３）中継ノードとすることができ、したがって、アクセスポイントの送信の可聴性（hearability）を改善させるために、類似したリソースを通して受信したようなアクセスポイント通信をブロードキャストすることができ、アクセスポイントと移動体デバイスとの間の通信を促進するためにアクセスポイントおよび移動体デバイスとリソースを確立することができ、および／または、これらに類するものとすることができる。いずれのケースにおいても、例えば、アクセスポイント通信を転送するために類似したリソースを利用する場合、中継ノードが、アクセスポイントに（および／または中継ノード間の）同一チャネル干渉を引き起こすことがある。
【概要】
【０００６】
以下では、この態様の基本的な理解を提供するために、請求されている主題事項のさまざまな態様の簡略化した概要を提示している。この概要は、すべての企図された態様の多彩な概略ではなく、この態様の重要なまたは不可欠なエレメントを識別することも、この態様の範囲を詳細に述べることも意図していない。この唯一の目的は、後に提示する、さらなる詳細な説明に対する前置きとして、開示した態様のいくつかの概念を、簡単にした形態で提示することである。
【０００７】
１つ以上の実施形態およびその対応する開示にしたがって、さまざまな態様は、マルチホップワイヤレスネットワークにおけるアクセスポイントが同一チャネル干渉を緩和させるための終端間の電力制御を促進することに関連して、記述される。１つの例では、アップストリームアクセスポイントによって担当されるアクセスポイントが、アクセスポイント上の負荷に関する１つ以上のパラメータを提供することができる。アップストリームアクセスポイントは、１つ以上のパラメータを取得して、１つ以上のパラメータに少なくとも部分的に基づいて電力制御コマンドをアクセスポイントに発行することができ、したがって、アクセスポイントのダウンリンクの電力を制御することができる。加えて、例えば、アクセスポイントと通信する１つ以上のデバイスは、（例えば、アクセスポイントを介して、または、別の方法で）信号対干渉および雑音比（ＳＩＮＲ）を、または、アクセスポイントとの通信に関連する類似したメトリックを、アップストリームのアクセスポイントに提供することができる。この例では、アップストリームのアクセスポイントは、付加的に、ＳＩＮＲまたは類似したメトリックに少なくとも部分的に基づいて、電力制御コマンドをアクセスポイントに発行することができる。さらに、例えば、アップストリームのアクセスポイントは、終端間の電力制御を提供するために、アクセスポイント上の負荷および／または１つ以上のデバイスのＳＩＮＲまたは他のメトリックに関する１つ以上のパラメータに少なくとも部分的に基づいて、それ自体のダウンリンクの電力を制御することができる。
【０００８】
態様にしたがうと、中継ノードと通信する１つ以上のＵＥに関連する１つ以上のパラメータを受信することと、１つ以上のパラメータに少なくとも部分的に基づいて、中継ノードに対する電力調整値を決定することを含む方法を提供する。方法は、電力調整値を含む電力コマンドを中継ノードに送信することをさらに含む。
【０００９】
別の態様は、ワイヤレス通信装置に関連する。ワイヤレス通信装置は、１つ以上のＵＥと中継ノードとの間の通信のために、１つ以上のパラメータを取得し、１つ以上のパラメータに少なくとも部分的に基づいて、中継ノードに対する電力調整値を計算するように構成されている少なくとも１つのプロセッサを備えることができる。少なくとも１つのプロセッサは、電力調整値を中継ノードに送信するようにさらに構成されている。ワイヤレス通信装置はまた、少なくとも１つのプロセッサに結合されているメモリも具備する。
【００１０】
さらにもう１つの態様は、装置に関連する。装置は、中継ノードと通信する１つ以上のＵＥに関連する１つ以上のパラメータを受信する手段と、１つ以上のパラメータに少なくとも部分的に基づいて、中継ノードに対する電力調整値を決定する手段とを備える。装置は、電力調整値を含む電力コマンドを中継ノードに送信する手段も備える。
【００１１】
さらに別の態様は、コンピュータプログラムプロダクトに関連し、このコンピュータプログラムプロダクトは、１つ以上のＵＥと中継ノードとの間の通信のために、１つ以上のパラメータを少なくとも１つのコンピュータに取得させるためのコードと、１つ以上のパラメータに少なくとも部分的に基づいて、中継ノードに対する電力調整値を少なくとも１つのコンピュータに発生させるためのコードとを含むコンピュータ読み取り可能媒体を持つことができる。コンピュータ読み取り可能媒体は、少なくとも１つのコンピュータに、電力調整値を中継ノードに送信させるためのコードも含むことができる。
【００１２】
さらに、付加的な態様は、中継ノードと通信する１つ以上のＵＥに関連する１つ以上のパラメータを取得する通信パラメータ受信コンポーネントと、１つ以上のパラメータに少なくとも部分的に基づいて、中継ノードに対する電力調整値を発生させる電力調整決定コンポーネントとを備える装置に関連する。装置は、電力調整値を含む電力コマンドを中継ノードに送信する電力コマンド発行コンポーネントをさらに備えることができる。
【００１３】
別の態様にしたがうと、１つ以上のＵＥとの通信に関連する１つ以上のパラメータをアクセスポイントに提供することと、１つ以上のパラメータに応答して、アクセスポイントから電力調整値を受信することを含む方法を提供する。方法はまた、電力調整値にしたがって、ダウンリンクの送信電力を調整することも含む。
【００１４】
別の態様は、ワイヤレス通信装置に関連する。ワイヤレス通信装置は、１つ以上のＵＥとの通信に関連する１つ以上のパラメータをアクセスポイントに通信し、１つ以上のパラメータに少なくとも部分的に基づいて、アクセスポイントから電力調整値を取得するように構成されている少なくとも１つのプロセッサを備えることができる。この少なくとも１つのプロセッサは、電力調整値にしたがって、ダウンリンクの送信電力を変更するようにさらに構成されている。ワイヤレス通信装置はまた、少なくとも１つのプロセッサに結合されているメモリも具備する。
【００１５】
また別の態様は、装置に関連する。装置は、１つ以上のＵＥとの通信に関連する１つ以上のパラメータをアクセスポイントに提供する手段と、１つ以上のパラメータに少なくとも部分的に基づいて、アクセスポイントから電力調整値を受信する手段とを備える。装置はまた、電力調整値にしたがって、ダウンリンクの送信電力を調整する手段も備える。
【００１６】
さらに別の態様は、コンピュータプログラムプロダクトに関連し、このコンピュータプログラムプロダクトは、１つ以上のＵＥとの通信に関連する１つ以上のパラメータをアクセスポイントに少なくとも１つのコンピュータに通信させるためのコードと、１つ以上のパラメータに少なくとも部分的に基づいて、アクセスポイントから電力調整値を少なくとも１つのコンピュータに取得させるためのコードとを含むコンピュータ読み取り可能媒体を持つことができる。コンピュータ読み取り可能媒体はまた、電力調整値にしたがって、ダウンリンクの送信電力を少なくとも１つのコンピュータに変更させるためのコードも含むことができる。
【００１７】
さらに、付加的な態様は、１つ以上のＵＥとの通信に関連する１つ以上のパラメータをアクセスポイントに提供するコンポーネントと、１つ以上のパラメータに少なくとも部分的に基づいて、アクセスポイントから電力調整値を取得する電力調整受信コンポーネントとに関連する。装置は、電力調整値にしたがって、ダウンリンクの送信電力を変更する電力調整コンポーネントをさらに備えることができる。
【００１８】
先述の関連した目的の達成のために、１つ以上の実施形態は、後に完全に記述する特徴、および、特許請求の範囲中で特に指摘する特徴を含んでいる。以下の説明および添付図面は、１つ以上の実施形態のいくつかの例示的な態様を詳細に述べている。しかしながら、これらの態様は、ほんの数例のさまざまな方法を示しているにすぎず、ここでは、さまざまな実施形態の原理を用いてもよく、記述した実施形態は、このようなすべての態様およびこれらの均等物を含むことを意図している。
【図面の簡単な説明】
【００１９】
【図１】図１は、中間アクセスポイントの電力を制御するシステムのブロック図である。
【図２】図２は、ワイヤレス通信環境内の配備の例示的な通信装置の図である。
【図３】図３は、電力調整値を中継ノードに提供する例示的なワイヤレス通信システムを図示している。
【図４】図４は、中継ノードから受信したパラメータに基づいて送信電力を調整する、例示的なワイヤレス通信システムを図示している。
【図５】図５は、受信した通信パラメータに基づいて電力調整値を中継ノードに送信する、例示的な方法論のフロー図である。
【図６】図６は、受信した電力調整値に基づいてダウンリンクの送信電力を調整する、例示的な方法論のフロー図である。
【図７】図７は、終端間の電力制御を中継ノードに提供する、例示的な方法論のフロー図である。
【図８】図８は、報告されたパラメータに基づいて、電力調整値を中継ノードに送信する、例示的な装置のブロック図である。
【図９】図９は、アクセスポイントに通信されたパラメータに基づいてダウンリンクの送信電力を調整する、例示的な装置のブロック図である。
【図１０】図１０は、ここで記述した機能性のさまざまな態様を実現するために利用することができる、例示的なワイヤレス通信デバイスのブロック図である。
【図１１】図１１は、ここで記述した機能性のさまざまな態様を実現するために利用することができる、例示的なワイヤレス通信デバイスのブロック図である。
【図１２】図１２は、ここで述べたさまざまな態様にしたがった、例示的なワイヤレス多元接続通信システムを図示している。
【図１３】図１３は、ここで記述したさまざまな態様が機能することができる、例示的なワイヤレス通信システムを図示しているブロック図である。
【詳細な説明】
【００２０】
図面を参照して、請求されている主題事項のさまざまな態様をこれから記述する。図面では、全体を通して同じエレメントを参照するために、同じ参照番号を使用する。以下の説明では、説明の目的のため、１つ以上の態様の全体的な理解を提供するために、多数の特定の詳細な説明を述べた。しかしながら、これらの特定の詳細な説明がなくても、このような態様を実施できることは明らかである。他の事例では、１つ以上の態様を記述することを容易にするために、よく知られている構成およびデバイスをブロック図の形態で示した。
【００２１】
本出願において使用されているような、用語「コンポーネント」、「モジュール」、「システム」およびこれらに類似するものは、コンピュータ関連エンティティ、ハードウェア、ファームウェア、ハードウェアとソフトウェアとを組み合わせたもの、ソフトウェア、または実行中のソフトウェアのいずれかのことを意味することを意図している。例えば、コンポーネントは、プロセッサ上で実行するプロセス、集積回路、オブジェクト、実行ファイル、実行のスレッド、プログラム、および／またはコンピュータとすることができるが、これらに限定されるものではない。実例によって、コンピューティングデバイス上で実行しているアプリケーションとコンピューティングデバイスとの双方とも、コンポーネントとすることができる。１つ以上のコンポーネントは、実行のプロセスおよび／またはスレッド内に存在することができ、コンポーネントは、１つのコンピュータ上でローカライズさせること、および／または、２つ以上のコンピュータ間に分散させることができる。加えて、これらのコンポーネントは、その上に記憶されているさまざまなデータ構造を持つ、さまざまなコンピュータ読み取り可能媒体から実行することができる。コンポーネントは、１つ以上のデータパケット（例えば、ローカルシステム、分散システム中の別のコンポーネントと、および／または、インターネットのようなネットワーク全体にわたって信号によって他のシステムと、情報を交換する１つのコンポーネントからのデータ）を持つ信号にしたがうような、ローカルおよび／またはリモートプロセスによって通信することができる。
【００２２】
さらには、ワイヤレス端末および／または基地局に関連して、さまざまな態様をここで記述する。ワイヤレス端末は、音声および／またはデータの接続性をユーザに提供するデバイスのことを意味することがある。ワイヤレス端末は、ラップトップコンピュータまたはデスクトップコンピュータのようなコンピューティングデバイスに接続することができ、または、ワイヤレス端末は、パーソナルデジタルアシスタント（ＰＤＡ）のような自立型デバイスとすることができる。ワイヤレス端末を、システム、加入者ユニット、加入者局、移動局、移動体、遠隔局、アクセスポイント、遠隔端末、アクセス端末、ユーザ端末、ユーザエージェント、ユーザデバイス、またはユーザ機器（ＵＥ）とも呼ぶことがある。ワイヤレス端末は、加入者局、ワイヤレスデバイス、セルラ電話機、ＰＣＳ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を持つハンドヘルドデバイス、またはワイヤレスモデムに接続されている他の処理デバイスとすることができる。基地局（例えば、アクセスポイント、または、進化ノードＢ（ｅＮＢ）、または、他のノードＢ）は、エアインターフェースに関して、１つ以上のセクタを通して、ワイヤレス端末と通信する、アクセスネットワーク中のデバイスを意味することがある。基地局は、受信したエアインターフェースフレームをＩＰパケットに変換することによって、ワイヤレス端末と、アクセスネットワークの残りのものとの間のルータとして機能することができ、アクセスネットワークは、インターネットプロトコル（ＩＰ）ネットワークを含むことができる。基地局はまた、エアインターフェースに対する属性の管理を調整する。
【００２３】
さらに、ここで記述したさまざまな機能は、ハードウェア、ソフトウェア、ファームウェア、またはこれらの任意の組み合わせで実現することができる。ソフトウェアで実現した場合、機能は、１つ以上の命令またはコードとしてコンピュータ読み取り可能媒体上に記憶、または、送信することができる。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、コンピュータによってアクセスできる何らかの利用可能な媒体とすることができる。例示によると、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、または命令またはデータ構成の形態で所望のプログラムコードを伝送または記憶するために使用でき、コンピュータによってアクセスできる他の何らかの媒体を含むことができるが、これらに限定されない。また、あらゆる接続は、コンピュータ読み取り可能媒体と適切に呼ばれている。例えば、ソフトウェアが、ウェブサイト、サーバ、または同軸ケーブル、ファイバ光ケーブル、撚り対、デジタル加入者線（ＤＳＬ）、または赤外線、無線、およびマイクロ波のようなワイヤレス技術を使用している他の遠隔ソースから送信された場合、同軸ケーブル、ファイバ光ケーブル、撚り対、ＤＳＬ、または赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスク（ＢＤ）を含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００２４】
コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波ＦＤＭＡ（ＳＣ−ＦＤＭＡ）システム、および他のこのようなシステムのような、さまざまなワイヤレス通信システムに対して、ここで記述したさまざまな技術を使用することができる。「システム」および「ネットワーク」という用語は、ここでは、互換性があるように使用されることが多い。ＣＤＭＡシステムは、ユニバーサル地上無線アクセス（ＵＴＲＡ）、ＣＤＭＡ２０００等のような無線技術を実現することができる。ＵＴＲＡは、ワイドバンド−ＣＤＭＡ（Ｗ−ＣＤＭＡ）およびＣＤＭＡの他の変形を含む。付加的に、ＣＤＭＡ２０００は、ＩＳ−２０００、ＩＳ−９５、およびＩＳ−８５６標準規格をカバーしている。ＴＤＭＡシステムは、グローバルシステムフォーモバイル通信（ＧＳＭ）（登録商標）のような無線技術を実現することができる。ＯＦＤＭＡシステムは、進化したＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ（登録商標）等のような無線技術を実現することができる。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用する、やがて登場するリリースであり、ダウンリンク上ではＯＦＤＭＡを、アップリンク上ではＳＣ−ＦＤＭＡを用いる。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名付けられている機関による文書中に記述されている。さらに、ＣＤＭＡ２０００およびＵＭＢは、「第３世代パートナーシッププロジェクト２」（３ＧＰＰ２）と名付けられている機関による文書中に記述されている。
【００２５】
多数のデバイス、コンポーネント、モジュール、およびこれらに類するものを含むことができるシステムに関して、さまざまな態様を提示する。さまざまなシステムは、図面に関連して説明した、付加的なデバイス、コンポーネント、モジュール等を含むことができること、および／または、デバイス、コンポーネント、モジュール等のすべてを含むことができないことを、理解および正しく認識すべきである。これらのアプローチを組み合わせたものも使用することができる。
【００２６】
これから図面を参照すると、図１は、複数のアクセスポイントを通して１つ以上のデバイスへワイヤレスネットワークアクセスを提供することを促進する、例示的なシステム１００を図示している。システム１００は、担当アクセスポイント１０２を含み、この担当アクセスポイント１０２が、ワイヤレスデバイス１０４に、コアネットワーク１０６に対するアクセスを提供する。例えば、担当アクセスポイント１０２は、直接的に、および／または、中間アクセスポイント１０８を通して、ワイヤレスデバイス１０４へワイヤレスネットワークアクセスを提供することができる。担当アクセスポイント１０２は、例えば、マクロセルアクセスポイント、フェムトセルまたはピコセルアクセスポイント、ｅＮＢ、移動体基地局、中継ノード、および／または、これらに類するもののような、実質的に、１つ以上のネットワークコンポーネントに対するアクセスを提供する何らかのデバイスとすることができる。ワイヤレスデバイス１０４は、例えば、移動体デバイス、ＵＥ、モデム（または、他のテザードデバイス）のような、実質的に、ワイヤレスネットワークに対するアクセスを受信する何らかのデバイスとすることができる。中間アクセスポイント１０８は、例えば、中継ノード、および／または、これらに類するもののような、実質的に、デバイスとアクセスポイントとの間のアクセスを促進する何らかのデバイスとすることができる。さらに、１つの中間アクセスポイント１０８を図示しているが、複数の中間アクセスポイントが、ワイヤレスデバイス１０４と担当アクセスポイント１０２との間に存在することができることを正しく認識すべきである。
【００２７】
例示にしたがうと、中間アクセスポイント１０８は、中継ノードとすることができ、この中継ノードは、担当アクセスポイント１０２からのデータをワイヤレスデバイス１０４に通信し、逆もまた同様である。中間アクセスポイント１０８は、レイヤ１（Ｌ１）、レイヤ２（Ｌ２）／レイヤ３（Ｌ３）、および／または、類似した中継ノードとすることができる。したがって、例えば、中間アクセスポイント１０８は、担当アクセスポイント１０２によって送信された通信を受信し、その受信した通信を送信して、中継ノードの機能性を提供することができる。この例では、ワイヤレスデバイス１０４は、通信の可聴性を改善するために、担当アクセスポイント１０２および中間アクセスポイント１０８の双方からの通信を受信することができる。別の例では、したがって、ワイヤレスデバイス１０４は、担当アクセスポイント１０２からのデータを通信するために、（担当アクセスポイント１０２に加えて、または、代替的に）中間アクセスポイント１０８とリソースを確立することができる。
【００２８】
どちらのコンフィギュレーションにおいても、例えば、中間アクセスポイント１０８が、担当アクセスポイント１０２（および／または１つ以上の他の中間アクセスポイント）に同一チャネル干渉を引き起こすことがある。担当アクセスポイント１０２および／または中間アクセスポイント１０８は、１つ以上の論理チャネル（例えば、制御チャネル、データチャネル等）を通して、ワイヤレスデバイス１０４と通信することができ、この１つ以上の論理チャネルは、周波数の１つ以上の部分として経時的に規定することができる。ネットワーク仕様（例えば、３ＧＰＰ ＬＴＥ、ＷｉＭＡＸ等）にしたがって、例えば、ＦＤＭＡ、ＴＤＭＡ、ＣＤＭＡ、ＯＦＤＭＡ、または類似したネットワークにおいて論理チャネルを規定することができる。したがって、中間アクセスポイント１０８が、担当アクセスポイント１０２からの送信を通信しているので、中間アクセスポイント１０８は、
少なくとも、その送信を通信する際に類似したリソースを利用することから、いくつかのケースでは、対応する論理チャネルを通して、これらに干渉することがある。
【００２９】
このような干渉を緩和させるために、担当アクセスポイント１０２が、電力制御コマンドを中間アクセスポイント１０８に発行することによって、中間アクセスポイント１０８のダウンリンクの送信電力を制御することができる。１つの例では、中間アクセスポイント１０８は、中間アクセスポイント１０８上の負荷に関する情報を担当アクセスポイント１０２に提供することができる。例えば、その負荷に関する情報は、中間アクセスポイント１０８によって担当されるワイヤレスデバイスの数、ワイヤレスデバイスによって利用されるリソースの数（例えば、中間アクセスポイント１０８において利用可能な総リソースの割合、またはその他のもののように）、および／または、これらに類するものを特定することができる。この情報に少なくとも部分的に基づいて、例えば、担当アクセスポイント１０２は、干渉を緩和させながら負荷の取り扱いを促進するための電力制御コマンドを送ることによって、中間アクセスポイント１０８の電力を調整することができる。
【００３０】
別の例では、ワイヤレスデバイス１０４が、中間アクセスポイント１０８との通信に関連する、信号対干渉および雑音比（ＳＩＮＲ）または類似した通信メトリック（例えば、熱に対する干渉（interference over thermal：ＩｏＴ）等）を決定することができ、そして、（例えば、中間アクセスポイント１０８を通して、または、別の方法で）、通信メトリックを担当アクセスポイント１０２に送信することができる。担当アクセスポイント１０２は、付加的に、または、代替的に、ワイヤレスデバイス１０４からの通信メトリックに少なくとも部分的に基づいて、中間アクセスポイント１０８のダウンリンクの送信電力を調整することができる。加えて、担当アクセスポイント１０２が、負荷情報または通信メトリックに少なくとも部分的に基づいて、そのダウンリンクの送信電力を調整することができることを正しく認識すべきである。したがって、担当アクセスポイント１０２は、同一チャネル干渉を緩和させるために、多数の中間アクセスポイントに関して終端間の電力制御を取り扱うことができる。この点に関して、中間アクセスポイントは、電力制御を実行する必要もなければ、他のアクセスポイントからの干渉を測定する必要もない。加えて、ダウンリンク電力および通信について、先に、および、ここで態様を記述したが、アップリンクに対する電力制御を提供するために、類似した概念を利用することができることを正しく認識すべきである。
【００３１】
次に図２を参照すると、ワイヤレス通信ネットワークに参加することができる通信装置２００を図示している。通信装置２００は、移動体デバイス、アクセスポイント、その一部、または、実質的に、ワイヤレスネットワーク中で信号を送信することができる何らかのデバイスとすることができる。通信装置２００は、ワイヤレスデバイス、（中継ノードのような）中間アクセスポイント、および／または、（示されていない）これらに類するものから１つ以上の通信パラメータを取得する通信パラメータ受信コンポーネント２０２と、１つ以上の通信パラメータに少なくとも部分的に基づいて電力調整値を発生させる電力調整決定コンポーネント２０４とを備えることができる。通信装置２００は、電力調整値に少なくとも部分的に基づいて、電力調整コマンドを発生させて、その電力調整コマンドを中間アクセスポイントに送信する電力コマンド発行コンポーネント２０６と、電力調整値に少なくとも部分的に基づいてローカル電力を調整する電力調整コンポーネント２０８と、ワイヤレスネットワーク中で１つ以上のデバイスと通信する送信コンポーネント２１０とを、付加的に備えている。
【００３２】
例示にしたがうと、通信パラメータ受信コンポーネント２０２は、中間アクセスポイントに関連する１つ以上のパラメータを取得することができる。記述したように、例えば、１つ以上のパラメータは、中間アクセスポイント上の負荷、中間アクセスポイントとの通信に関連するＳＩＮＲまたは類似した通信パラメータ、通信装置２００との通信に関連する中間アクセスポイントのＳＩＮＲ、および／または、これらに類するものに対応することができる。電力調整決定コンポーネント２０４は、１つ以上のパラメータに少なくとも部分的に基づいて電力調整値を計算することができる。例えば、中間アクセスポイント上の負荷がしきい値の負荷より高い場合、電力調整決定コンポーネント２０４は、中間アクセスポイントにおける負荷を受け持つことを促進するために、増加した電力調整値を計算する。同様に、中間アクセスポイント上の負荷がしきい値レベルより低い場合、電力調整決定コンポーネント２０４は、（例えば、過剰な電力を必要としない場合に同一チャネル干渉を緩和させるために）中間アクセスポイントにおける電力を下げるように、減少した電力調整値を計算することができる。
【００３３】
加えて、例えば、電力調整決定コンポーネント２０４は、中間アクセスポイントと通信する１つ以上のデバイスのＳＩＮＲに少なくとも部分的に基づいて電力調整値を計算することができる。したがって、例えば、１つ以上のＳＩＮＲがしきい値より低い（例えば、および／またはＳＩＮＲの平均がしきい値平均より低い）場合、電力調整決定コンポーネント２０４は、中間アクセスポイントにおける電力を増加させるように、電力調整値を計算することができる。１つの例では、電力調整値は、例えば、ＳＩＮＲの所望の増加に比例することができる。同様に、電力調整決定コンポーネント２０４は、電力を節約するために、および、同一チャネル干渉を緩和させるために、しきい値レベルより高いＳＩＮＲに対する減少した電力調整値を計算することができる。いずれのケースにおいても、電力コマンド発行コンポーネント２０６が、電力調整値を中間アクセスポイントに（例えば、データ送信の一部として、または、別個のメッセージで）送信することができる。さらに、１つの例では、電力調整決定コンポーネント２０４が、負荷およびＳＩＮＲ情報の両方に基づいて、電力調整値を計算することができることを正しく認識すべきである。
【００３４】
別の例では、電力調整決定コンポーネント２０４は、通信装置２００と中間アクセスポイントとの間の通信に関連するＳＩＮＲに少なくとも部分的に基づいて、通信装置２００に対する電力調整値を構築することができる。例えば、中間アクセスポイントがしきい値より低いＳＩＮＲを報告する場合、電力調整決定コンポーネント２０４は、増加した電力調整値を計算することができる。同様に、ＳＩＮＲがしきい値レベルより高い場合、電力調整決定コンポーネント２０４は、減少した電力調整値を構築することができる。いずれのケースにおいても、電力調整コンポーネント２０８が、電力調整値に基づいて、通信装置２００の送信電力を変更することができ、その後、送信コンポーネント２１０が、調整された電力で、中間アクセスポイントおよび／または１つ以上のデバイスに通信を送信することができる。
【００３５】
これから図３を参照すると、ワイヤレスネットワークにおけるさまざまなアクセスポイントの間の電力を制御することを促進するワイヤレス通信システム３００を図示している。システム３００は、１つ以上の中継ノードまたは中継ノード３０４のような他の中間アクセスポイントに、（示されてない）コアネットワークに対するアクセスを提供するアクセスポイント３０２を含んでいる。同様に、中継ノード３０４は、記述したように、アクセスポイント３０２を介して、１つ以上の異なる中継ノードまたはＵＥ３０６のようなＵＥにコアネットワークに対するアクセスを提供することができる。さらに、アクセスポイント３０２は、マクロセルアクセスポイント、フェムトセルアクセスポイント、ピコセルアクセスポイント、移動体基地局、および／または、これらに類するものとすることができる。中継ノード３０４は、同様に、記述したように、アクセスポイント、ワイヤレスまたはワイヤードバックホールを通してアクセスポイント３０２と通信する移動的または静的な中継ノード、および／または、これらに類するものとすることができる。加えて、例えば、１つ以上の中間アクセスポイントは、アクセスポイント３０２と中継ノード３０４との間に存在することができ、以下に記述した機能性に類似した機能性を促進するために、そのコンポーネントを具備することができる。
【００３６】
アクセスポイント３０２は、中継ノード上の負荷に関する１つ以上のパラメータを取得する負荷パラメータ受信コンポーネント３０８と、中継ノードと通信する１つ以上のＵＥに対応するＳＩＮＲパラメータを取得するＳＩＮＲ受信コンポーネント３１０とを具備することができる。アクセスポイント３０２はまた、その上の負荷に関する１つ以上のパラメータおよび／またはＳＩＮＲパラメータに少なくとも部分的に基づいて、中継ノードのダウンリンクの送信電力に対する電力調整値を決定する電力調整決定コンポーネント２０４と、電力調整値を中継ノードに提供する電力コマンド発行コンポーネント２０６とを備えている。
【００３７】
中継ノード３０４は、アクセスポイント３０２からの信号を取得して、その信号（例えば、または、信号中のデータ）をＵＥ３０６に転送する、および／または、逆もまた同様である通信転送コンポーネント３１２とともに、中継ノード３０４上の負荷に関連する１つ以上のパラメータを測定および通信することができる負荷パラメータ提供コンポーネント３１４とを備えることができる。中継ノード３０４は、電力調整値を取得する電力調整パラメータ受信コンポーネント３１６と、中継ノード３０４のダウンリンクの送信電力を変更する電力調整コンポーネント３１８もまた備えている。ＵＥ３０６は、中継ノードとの通信に関連するＳＩＮＲを決定するＳＩＮＲ測定コンポーネント３２０と、ＳＩＮＲをアクセスポイントに（例えば、直接的に、および／または、中継ノードを介して）提供するＳＩＮＲ通信コンポーネント３２２とを具備することができる。
【００３８】
例示にしたがうと、記述したように、中継ノード３０４は、（例えば、セル端における信号強度を増加させるために）アクセスポイント３０２とＵＥ３０６との間の通信を促進することができる。記述したように、中継ノード３０４は、Ｌ１、Ｌ２／Ｌ３、または、他の中継ノードとすることができ、したがって、アクセスポイント３０２によって送信された信号を受信および通信すること、および／または、ＵＥ３０６と確立された接続を通してそのように実行することによって通信を促進することができる。さらに、１つの例では、中継ノード３０４は、ＵＥ３０６からの信号をアクセスポイント３０２に通信することができる。いずれのケースにおいても、通信転送コンポーネント３１２は、アクセスポイント３０２からの通信を取得し、その通信を３０６に送信することができる、および／または、逆もまた同様である。負荷パラメータ提供コンポーネント３１４は、中継ノード３０４上の負荷を決定し、（例えば、アクセスポイント３０２からの要求または他のコマンドに基づいて、タイマーに基づいて、等）１つ以上の関連するパラメータをアクセスポイント３０２に通信することができる。例えば、負荷パラメータ提供コンポーネント３１４は、中継ノード３０４と通信するＵＥの数、ＵＥに割り振られたリソースの数（例えば、および／または、利用されるリソースの容量）等に少なくとも部分的に基づいて負荷を決定することができる。
【００３９】
負荷パラメータ受信コンポーネント３０８は、中継ノード３０４から、負荷に関連する１つ以上のパラメータを取得することができる。１つ以上のパラメータに少なくとも部分的に基づいて、電力調整決定コンポーネント２０４が、中継ノード３０４に対する電力調整値を構築することができる。記述したように、例えば、負荷がしきい値レベルより高いまたは低い場合、電力調整決定コンポーネント２０４は、増加した、または、減少した電力調整値を発生させることができる。加えて、例えば、電力調整決定コンポーネント２０４は、負荷に比例して電力調整値を計算することができる（例えば、報告されたより大きい負荷は、より大きい電力の増加を容認することができる）。さらに、例えば、電力調整決定コンポーネント２０４は、その負荷を、１つ以上の異なる中継ノードの類似した負荷パラメータと比較して、比較上の電力調整値を計算することができる。いずれかのケースにおいて、電力コマンド発行コンポーネント２０６は、（例えば、ダウンリンクデータとともに、または、別の方法で）電力調整値を含む電力コマンドを中継ノード３０４に送信することができる。電力調整パラメータ受信コンポーネント３１６は、電力調整値を取得することができ、電力調整コンポーネント３１８は、電力調整値に少なくとも部分的に基づいて、ダウンリンクの送信電力を増加または減少させることができる。
【００４０】
さらに、例えば、電力調整決定コンポーネント２０４は、付加的に、または、代替的に、ＵＥ３０６に関連するＳＩＮＲ情報に少なくとも部分的に基づいて電力調整値を発生させることができる。この例では、ＳＩＮＲ測定コンポーネント３２０が、（例えば、アクセスポイント３０２からの要求、タイマー、および／または、これらに類するものに少なくとも部分的に基づいて）中継ノード３０４との通信に関連するＳＩＮＲを決定することができる。ＳＩＮＲ通信コンポーネント３２２は、ＳＩＮＲをアクセスポイント３０２に送信することができる（例えば、直接的に、および／または、中継ノード３０４を介して、この中継ノード３０４を介するケースでは、通信転送コンポーネント３１２がＳＩＮＲまたは関連するパラメータを取得して、アクセスポイント３０２に転送することができる）。ＳＩＮＲ受信コンポーネント３１０は、直接的、または、中継ノード３０４からであろうとなかろうと、ＵＥ３０６から、ＳＩＮＲまたは関連するパラメータを受信することができる。電力調整決定コンポーネント２０４は、ＳＩＮＲまたは関連するパラメータを、１つ以上のしきい値の値と比較することに少なくとも部分的に基づいて、電力調整値を決定することができる。（例えば、しきい値より低いＳＩＮＲは、増加した電力調整値に対応し、または、ＳＩＮＲがしきい値ＳＩＮＲより高い場合には減少した値に対応する）。加えて、記述したように、電力調整決定コンポーネント２０４は、ＳＩＮＲを所望値に上げることを試みるために、または、そのＳＩＮＲを、中継ノード３０４と通信する異なるＵＥの１つ以上のＳＩＮＲと平均すること（例えば、および、平均したＳＩＮＲをしきい値のＳＩＮＲと比較すること）によって、ＳＩＮＲに比例した電力調整値を発生させることができる。
【００４１】
さらには、別の例では、電力調整決定コンポーネント２０４は、ＳＩＮＲを、中継ノード３０４または１つ以上の異なる中継ノードと通信する他のデバイスのＳＩＮＲと比較することによって、電力調整値を発生させることができる。したがって、例えば、ＵＥ３０６が、他の中継ノードと通信するＵＥのＳＩＮＲより低いＳＩＮＲを有している場合には、電力調整決定コンポーネント２０４は、中継ノード３０４に対する増加した電力調整値（および／または、他の中継ノードに対する減少した電力調整値）を決定することができる。加えて、例えば、電力調整決定コンポーネント２０４は、中継ノード３０４と通信する１つよりも多いＵＥのＳＩＮＲを評価して、電力調整値を決定することができる。したがって、例えば、中継ノード３０４と通信する多くのＵＥが低いＳＩＮＲを経験している場合、電力調整決定コンポーネント２０４は、中継ノード３０４に対する増加した電力調整値を計算することを決定することができる。上述したように、電力コマンド発行コンポーネント２０６は、電力調整値を中継ノード３０４に送信することができる。電力調整パラメータ受信コンポーネント３１６は、電力調整値を取得することができ、電力調整コンポーネント３１８は、電力調整値にしたがってダウンリンクの送信電力を変更することができる。したがって、いずれのケースにおいても、内側のループ電力制御が中継ノード３０４に提供される。
【００４２】
図４を見ると、ワイヤレスネットワーク中のアクセスポイントから受信したパラメータに少なくとも部分的に基づいて電力を制御することを促進する、ワイヤレス通信システム４００を図示している。システム４００は、アクセスポイント３０２を含み、このアクセスポイント３０２は、１つ以上の中継ノードまたは中継ノード３０４のような、他の中間アクセスポイントに、（示されてない）コアネットワークに対するアクセスを提供する。同様に、中継ノード３０４は、記述したように、アクセスポイント３０２を介して、１つ以上の異なる中継ノードまたは（示されてない）ＵＥに、コアネットワークに対するアクセスを提供することができる。さらに、アクセスポイント３０２は、マクロセルアクセスポイント、フェムトセルアクセスポイント、ピコセルアクセスポイント、移動体基地局、および／または、これらに類するものとすることができる。中継ノード３０４は、同様に、記述したように、アクセスポイント、ワイヤレスまたはワイヤードバックホールを通してアクセスポイント３０２と通信する移動的または移動しない中継ノード、および／または、これらに類するものとすることができる。加えて、例えば、１つ以上の中間アクセスポイントは、アクセスポイント３０２と中継ノード３０４との間に存在することができ、そのコンポーネントを具備することができ、以下に記述した機能性に類似した機能性を促進する。
【００４３】
アクセスポイント３０２は、１つ以上の中継ノードに対応するＳＩＮＲパラメータを取得するＳＩＮＲ受信コンポーネント４０２と、ＳＩＮＲパラメータに少なくとも部分的に基づいて、アクセスポイント３０２のダウンリンクの送信電力に対する電力調整値を発生させる電力調整決定コンポーネント２０４とを具備することができる。アクセスポイント３０２は、電力調整値に少なくとも部分的に基づいてアクセスポイント３０２のダウンリンクの送信電力を変更する電力調整コンポーネント２０８と、変更されたダウンリンクの送信電力を使用して、１つ以上の信号を通信する送信コンポーネント２１０とを、付加的に備えている。中継ノード３０４は、アクセスポイントとの通信に関連するＳＩＮＲを決定するＳＩＮＲ測定コンポーネント４０４と、そのＳＩＮＲをアクセスポイントに通信するＳＩＮＲ提供コンポーネント４０６とを具備することができる。
【００４４】
例示にしたがうと、記述したように、中継ノード３０４は、（例えば、セル端における信号強度を増加させるために）アクセスポイント３０２と、１つ以上の付加的な中継ノードまたはＵＥとの間の通信を促進することができる。記述したように、中継ノード３０４は、Ｌ１、Ｌ２／Ｌ３、または他の中継ノードとすることができ、したがって、アクセスポイント３０２によって送信された信号を受信および通信することによって、および／または、ＵＥと確立された接続を通してそのように実行することによって、通信を促進することができる。さらに、上述したように、中継ノード３０４は、アクセスポイント３０２からの電力制御コマンドの受信を促進するための通信メトリックをアクセスポイント３０２に提供することができる。加えて、ＳＩＮＲ測定コンポーネント４０４は、アクセスポイント３０２との通信に関連する、ＳＩＮＲまたは１つ以上のパラメータを決定することができ、ＳＩＮＲ提供コンポーネント４０６は、そのＳＩＮＲをアクセスポイント３０２に送信することができる。この点に関して、アクセスポイントは、同様に、そのダウンリンクの送信電力も変更することができる。
【００４５】
ＳＩＮＲ受信コンポーネント４０２は、中継ノード３０４からのＳＩＮＲを取得することができる。電力調整決定コンポーネント２０４は、そのＳＩＮＲに少なくとも部分的に基づいて、電力調整値（例えば、ＳＩＮＲがしきい値レベルより低い場合には増加した電力調整値、または、ＳＩＮＲがしきい値レベルより高い場合には減少した電力調整値）を計算することができる。加えて、例えば、電力調整決定コンポーネント２０４は、ＳＩＮＲを、アクセスポイント３０２と通信する他の中継ノードのＳＩＮＲと比較することに少なくとも部分的に基づいて、電力調整値を計算することができる。さらに、例えば、電力調整決定コンポーネント２０４は、中継ノード３０４または１つ以上の異なる中継ノードに対する同一チャネル干渉を引き起こさないように、電力調整値を計算することができる。いずれかのケースにおいて、電力調整コンポーネント２０８は、ＳＩＮＲにしたがってダウンリンクの送信電力を増加または減少させることができ、送信コンポーネント２１０は、中継ノード３０４との通信の際に、変更されたダウンリンクの送信電力を使用することができる。加えて、１つの例では、異なる時間期間の間に、異なる中継ノードとの通信のために、異なるダウンリンクの送信電力を計算して利用することができることを正しく認識すべきである。さらに、例えば、終端間の電力制御を提供するために、負荷および／またはデバイスＳＩＮＲパラメータに基づいて中継ノード電力を調整することに関連して、１つ以上の中継ノードのＳＩＮＲに少なくとも部分的に基づいてアクセスポイント３０２のダウンリンクの送信電力を調整することを利用することができることを正しく認識すべきである。いずれかのケースにおいて、このように、閉ループ電力制御が、アクセスポイント３０２に提供される。
【００４６】
これから図５−図７を参照すると、ここで述べたさまざまな態様にしたがって実行することができる方法論が図示されている。説明の簡略化の目的のために、方法論を一連の動作として教示および記述しているが、いくつかの動作が、１つ以上の態様にしたがって、ここで教示および記述した順序とは異なった順序で、および／または、他の動作と同時に行われることがあるので、動作の順序によって方法論が限定されないことを理解および正しく認識すべきである。例えば、状態図のような図中で一連の相互関係状態またはイベントとして方法論を代替的に表すこともありうることを、当業者は理解および正しく認識するだろう。さらに、すべての図示されている動作が、１つ以上の態様にしたがった方法論を実現するために必要とされるわけではない。
【００４７】
図５を参照すると、１つ以上の中継ノードのダウンリンクの送信電力を調整する例示的な方法論５００を図示している。５０２では、中継ノードと通信する１つ以上のＵＥに関連する１つ以上のパラメータを受信することができる。記述したように、パラメータは、１つ以上のＵＥとの通信に基づく、中継器上の負荷、中継ノードとの通信に対応する１つ以上のＵＥのＳＩＮＲまたは類似したパラメータ、および／または、これらに類するものに関連することができる。５０４では、１つ以上のパラメータに少なくとも部分的に基づいて、中継ノードに対する電力調整値を決定することができる。例えば、記述したように、報告されたＳＩＮＲがしきい値より低い、および／または、負荷がしきい値の負荷より高い場合に、増加した電力調整値を提供することができ、そして、電力を節約したり、同一チャネル干渉を緩和させたり等をするために、しきい値より低い負荷に、および／または、しきい値より高いＳＩＮＲに、減少した電力調整値を提供することができる。５０６では、電力調整値を含む電力コマンドを中継ノードに送信することができる。したがって、中継ノードが、電力調整値を利用して、そのダウンリンクの送信電力を変更することができる。
【００４８】
これから図６を見ると、受信した電力調整値に基づいて、送信電力を調整することを促進する例示的な方法論６００を示している。６０２では、１つ以上のＵＥとの通信に関連する１つ以上のパラメータをアクセスポイントに提供することができる。記述したように、１つ以上のパラメータは、１つ以上のＵＥとの通信に関連する負荷を含むことができ、この負荷は、上述した１つ以上のパラメータ（例えば、ＵＥの数、ＵＥに割り振られているリソース等）、１つ以上のＵＥのＳＩＮＲに基づいて計算することができる。この１つ以上のパラメータは、提供される中継器の機能性の一部として、および／または、これらに類するものとして、アクセスポイントに転送することができる。６０４では、１つ以上のパラメータに応答して、アクセスポイントから電力調整値を受信することができる。記述したように、これは、独立した電力制御メッセージ、および／または、これらに類するものにおいて、データの送信により受け取ることができる。６０６では、電力調整値に少なくとも部分的に基づいて、ダウンリンクの送信電力を調整することができる。
【００４９】
図７を参照すると、複数のアクセスポイントにおける終端間の電力制御を提供することを促進する例示的な方法論７００を図示している。７０２では、中継ノードからＳＩＮＲを受信することができる。記述したように、ＳＩＮＲは、中継ノードにおいて受信された通信の品質に関連することができる。７０４では、中継ノードと通信する１つ以上のＵＥから１つ以上のＳＩＮＲを受信することができる。記述したように、直接的に、および／または、中継ノードを介して、ＵＥからこれらのＳＩＮＲを受信することができる。７０６では、中継ノードからのＳＩＮＲに少なくとも部分的に基づいて、ダウンリンクの送信電力を調整することができる。例えば、このことは、ＳＩＮＲがしきい値より低い場合にはダウンリンクの送信電力を増加させることを、ＳＩＮＲがしきい値より高い場合には減少させること等を含むことができる。７０８では、１つ以上のＳＩＮＲから計算された電力調整値を含む電力コマンドを、中継ノードに送信することができる。この点に関して、中継ノードは、電力調整値に基づいて、そのダウンリンクの送信電力を変更することができる。したがって、終端間の電力制御が、中継ノードに提供される。
【００５０】
ここで記述した１つ以上の態様にしたがうと、負荷、ＳＩＮＲ等、および／または、これに類するものに基づく電力調整値を決定することに関して推定できることを正しく認識するだろう。ここで使用したように、「推測する」または「推定する」に対する用語は、一般的に、イベントおよび／またはデータによって入手されるような１組の観測からの、システム、環境、および／またはユーザの状態についての推理または推測のプロセスを意味する。推定を用いて、特定の状況またはアクションを識別することができ、または、例えば、状態に対する確率分布を発生させることができる。推定は、確率的、すなわち、データおよびイベントの考慮に基づいた、関心のある状態に対する確率分布の計算とすることができる。推定は、１組のイベントおよび／またはデータからより高いレベルのイベントを構成するために用いられる技術のことを意味することがある。このような推論は、時間的に極めて近接してイベントが相関していようとなかろうと、ならびに、イベントおよびデータが、１つまたはいくつかのイベントおよびデータソースから生じていようとなかろうと、結果として、１組の観測されたイベントおよび／または記憶されているイベントデータから、新しいイベントまたはアクションを構築することになる。
【００５１】
図８を参照すると、受信した通信パラメータに基づいて、中継ノードにおける電力を調整することを促進するシステム８００を図示している。例えば、システム８００は、基地局、移動体デバイス、またはワイヤレスネットワークに対するアクセスを提供する別のデバイス内に少なくとも部分的に存在することができる。機能的なブロックを含むものとしてシステム８００を表し、この機能的なブロックは、プロセッサ、ソフトウェア、またはこれらの組み合わせ（例えば、ファームウェア）によって実現される機能を表す機能的なブロックとすることができることを正しく認識すべきである。システム８００は、共に動作することができる電気コンポーネントの論理的グルーピング８０２を備える。例えば、論理的グルーピング８０２は、中継ノードと通信する１つ以上のＵＥに関連する１つ以上のパラメータを受信する電気コンポーネント８０４を備えることができる。記述したように、パラメータは、中継ノード上の負荷、中継ノードとの通信に関連するＵＥから報告されたＳＩＮＲ、および／または、これらに類するものに関連することができる。さらに、論理的グルーピング８０２は、１つ以上のパラメータに少なくとも部分的に基づいて、中継ノードに対する電力調整値を決定する電気コンポーネント８０６を具備することができる。
【００５２】
記述したように、例えば、負荷がしきい値より高い、ＳＩＮＲ（および／または１つ以上の付加的な報告されたＳＩＮＲ）がしきい値より低い等の場合には、電力調整値は、ダウンリンクの送信電力を増加させることに関連することができる。さらには、論理的グルーピング８０２は、電力調整値を含む電力コマンドを中継ノード８０８に送信する電気コンポーネントを備えることができる。したがって、中継ノードにおける電力は、受信したパラメータに少なくとも部分的に基づいて制御することができる。論理的グルーピング８０２は、中継ノードからＳＩＮＲを受信する電気コンポーネント８１０と、中継ノードからのＳＩＮＲに少なくとも部分的に基づいて、ダウンリンクの送信電力を調整する電気コンポーネント８１２とを備えることもできる。したがって、記述したように、中継ノードからのパラメータに基づいてローカル電力を制御するとともに、終端間の電力制御を提供することができる。付加的に、システム８００は、電気コンポーネント８０４、８０６、８０８、８１０、および８１２に関係する機能を実行するための命令を保持するメモリ８１４を備えることができる。メモリ８１４の外部にあるものとして示しているが、電気コンポーネント８０４、８０６、８０８、８１０、および８１２のうちの１つ以上は、メモリ８１４内に存在することができることを理解すべきである。
【００５３】
これから図９を参照すると、１つ以上のパラメータに応答して、電力調整値の受信に基づいて、ダウンリンクの送信電力を調整することを促進するシステム９００を図示している。例えば、システム９００は、基地局、移動体デバイス、またはワイヤレスネットワークに対するアクセスを提供する別のデバイス内に少なくとも部分的に存在することができる。機能的なブロックを含むものとしてシステム９００を表し、この機能的なブロックは、プロセッサ、ソフトウェア、またはこれらの組み合わせ（例えば、ファームウェア）によって実現される機能を表す機能的なブロックとすることができることを正しく認識すべきである。システム９００は、共に動作することができる電気コンポーネントの論理的グルーピング９０２を備える。例えば、論理的グルーピング９０２は、１つ以上のＵＥとの通信に関連する１つ以上のパラメータをアクセスポイントに提供する電気コンポーネント９０４を含むことができる。記述したように、１つ以上のパラメータは、１つ以上のＵＥとの通信に関連する負荷、アクセスポイントに転送するＵＥから受信されたＳＩＮＲ、および／または、これらに類するものを含むことができる。
【００５４】
さらに、論理的グルーピング９０２は、１つ以上のパラメータに少なくとも部分的に基づいて、アクセスポイントから電力調整値を受信する電気コンポーネント９０６を備えることができる。さらには、論理的グルーピング９０２は、電力調整値にしたがって、ダウンリンクの送信電力を調整する電気コンポーネント９０８を備えることができる。したがって、電力制御は、報告されたパラメータに基づいて提供される。さらに、論理的グルーピング９０２は、アクセスポイントとの通信に関連するＳＩＮＲを測定する電気コンポーネント９１０と、ＳＩＮＲをアクセスポイントに送信する電気コンポーネント９１２とを備えることができる。記述したように、この点に関して、終端間の電力制御が、アクセスポイントに提供される。付加的に、システム９００は、電気コンポーネント９０４、９０６、９０８、９１０、および９１２に関係する機能を実行するための命令を保持するメモリ９１４を備えることができる。メモリ９１４の外部にあるものとして示しているが、電気コンポーネント９０４、９０６、９０８、９１０、および９１２のうちの１つ以上は、メモリ９１４内に存在することができることを理解すべきである。
【００５５】
図１０は、ここで記述した機能性のさまざまな態様を実現するために利用できるシステム１０００のブロック図である。１つの例では、システム１０００は、基地局またはノードＢ１００２を含んでいる。図示されているように、ノードＢ１００２は、１つ以上の受信（Ｒｘ）アンテナ１００６を介して１つ以上のＵＥ１００４から信号を受信し、１つ以上の送信（Ｔｘ）アンテナ１００８を介して１つ以上のＵＥ１００４に送信することができる。付加的に、ノードＢ１００２は、受信アンテナ１００６から情報を受け取る受信機１０１０を備えることができる。１つの例では、受信機１０１０は、受け取った情報を復調する復調器（Ｄｅｍｏｄ）１０１２に動作可能に関係付けることができる。復調されたシンボルは、その後、プロセッサ１０１４によって解析することができる。プロセッサ１０１４は、メモリ１０１６に結合させることができ、メモリ１０１６は、コードクラスタに関連する情報、アクセス端末割り当て、それに関連するルックアップテーブル、一意的なスクランブリングシーケンス、および／または、他の適したタイプの情報を、記憶することができる。１つの例では、ノードＢ１００２は、プロセッサ１０１４を用いて、方法論５００、６００、７００、および／または、他の類似する方法および適切な方法論を実行することができる。ノードＢ１００２はまた、変調器１０１８も備えることができ、変調器１０１８は、送信アンテナ１００８を通しての送信機１０２０による送信のために、信号を多重化することができる。
【００５６】
図１１は、ここで記述した機能性のさまざまな態様を実現するために利用できる別のシステム１１００のブロック図である。１つの例では、システム１１００は、移動体端末１１０２を含んでいる。図示されているように、移動体端末１１０２は、１つ以上のアンテナ１１０８を介して、１つ以上の基地局１１０４から信号を受信し、１つ以上の基地局１１０４に送信することができる。付加的に、移動体端末１１０２は、アンテナ１１０８から情報を受け取る受信機１１１０を備えることができる。１つの例では、受信機１１１０は、受け取った情報を復調する復調器（Ｄｅｍｏｄ）１１１２に動作可能に関係付けることができる。復調されたシンボルは、その後、プロセッサ１１１４によって解析することができる。プロセッサ１１１４は、メモリ１１１６に結合させることができ、メモリ１１１６は、移動体端末１１０２に関連するデータおよび／またはプログラムコードを記憶することができる。付加的に、移動体端末１１０２は、プロセッサ１１１４を用いて、方法論５００、６００、７００、および／または、他の類似する方法および適切な方法論を実行することができる。移動体端末１１０２はまた、以前の図面で記述した１つ以上のコンポーネントを用いて、記述した機能性を行うことができる；１つの例では、プロセッサ１１１４によってコンポーネントを実現することができる。移動体端末１１０２はまた、変調器１１１８を備えることができ、変調器１１１８は、アンテナ１１０８を通しての送信機１１２０による送信のために、信号を多重化することができる。
【００５７】
これから図１２を参照すると、さまざまな態様にしたがった、ワイヤレス多元接続通信システムの図が提供されている。１つの例では、アクセスポイント１２００（ＡＰ）は、複数のアンテナグループを備えている。図１２に図示されているように、１つのアンテナグループは、アンテナ１２０４とアンテナ１２０６とを含むことができ、別のアンテナグループは、アンテナ１２０８とアンテナ１２１０とを含むことができ、また別のアンテナグループは、アンテナ１２１２とアンテナ１２１４とを含むことができる。図１２では、それぞれのアンテナグループに対して２つのアンテナのみが示されているが、それぞれのアンテナグループに対して、より多くのアンテナまたはより少ないアンテナを利用してもよいことを正しく認識すべきである。別の例では、アクセス端末１２１６は、アンテナ１２１２およびアンテナ１２１４と通信することができ、アンテナ１２１２およびアンテナ１２１４は、フォワードリンク１２２０を通してアクセス端末１２１６に情報を送信し、リバースリンク１２１８を通してアクセス端末１２１６から情報を受信する。付加的に、および／または、代替的に、アクセス端末１２２２は、アンテナ１２０６およびアンテナ１２０８と通信することができ、アンテナ１２０６およびアンテナ１２０８は、フォワードリンク１２２６を通してアクセス端末１２２２に情報を送信し、リバースリンク１２２４を通してアクセス端末１２２２から情報を受信する。周波数分割デュプレクスシステムでは、通信リンク１２１８、１２２０、１２２４、および１２２６は、通信に対して異なる周波数を使用することができる。例えば、フォワードリンク１２２０は、リバースリンク１２１８によって使用される周波数とは異なる周波数を使用してもよい。
【００５８】
アンテナのそれぞれのグループ、および／または、通信するようにアンテナが設計されているエリアを、アクセスポイントのセクタと呼ぶことがある。１つの態様にしたがって、アクセスポイント１２００によってカバーされているエリアのセクタ中のアクセス端末に通信するように、アンテナグループを設計することができる。フォワードリンク１２２０および１２２６を通しての通信では、異なるアクセス端末１２１６および１２２２に対するフォワードリンクの信号対雑音比を改善するために、アクセスポイント１２００の送信アンテナは、ビームフォーミングを利用することができる。また、ビームフォーミングを使用して、そのカバレッジを通してランダムに散っているアクセス端末に送信するアクセスポイントは、単一のアンテナを通してそのすべてのアクセス端末に送信するアクセスポイントに比べて、近隣のセル中のアクセス端末に対して生じさせる干渉は小さい。
【００５９】
アクセスポイント、例えば、アクセスポイント１２００は、端末と通信するために使用される固定局とすることができ、そして、基地局、ノードＢ、アクセスネットワーク、および／または、他の適した専門用語でも呼ばれることがある。加えて、アクセス端末、例えば、アクセス端末１２１６または１２２２は、移動体端末、ユーザ機器、ワイヤレス通信デバイス、端末、ワイヤレス端末、および／または、他の適切な専門用語でも呼ばれることがある。
【００６０】
これから図１３を参照すると、例示的なワイヤレス通信システム１３００を図示しているブロック図を示しており、この例示的なワイヤレス通信システム１３００では、機能することができるここで記述したさまざまな態様を提供している。１つの例では、システム１３００は、送信機システム１３１０と受信機システム１３５０とを含む複数入力複数出力（ＭＩＭＯ）システムである。しかしながら、送信機システム１３１０および／または受信機システム１３５０は、複数入力単一出力システムにも適用することもあり、このシステムでは、例えば、（例えば、基地局上の）複数の送信アンテナが、１つ以上のシンボルストリームを単一のアンテナデバイス（例えば、移動局）に送信することができることも正しく認識すべきである。付加的に、ここで記述された送信機システム１３１０および／または受信機システム１３５０の態様は、単一の出力ないし単一の入力アンテナシステムに関連して利用されることができたことを正しく認識すべきである。
【００６１】
１つの態様にしたがうと、送信機システム１３１０において、データソース１３１２から送信（ＴＸ）データプロセッサ１３１４に、多数のデータストリームに対するトラフィックデータを提供する。１つの例では、その後、各送信アンテナ１３２４を介して、それぞれのデータストリームを送信することができる。付加的に、ＴＸデータプロセッサ１３１４は、コード化されたデータを提供するために、それぞれの各データストリームに対して選択された特定のコーディングスキームに基づいて、それぞれのデータストリームに対するトラフィックデータをフォーマット化、エンコード、およびインターリーブすることができる。１つの例では、その後、それぞれのデータストリームに対するコード化されたデータは、ＯＦＤＭ技術を使用して、パイロットデータにより多重化することができる。パイロットデータは、例えば、既知の態様で処理される既知のデータパターンとすることができる。さらに、受信機システム１３５０において、パイロットデータを使用して、チャネル応答を推定することができる。送信機システム１３１０に戻ると、変調シンボルを提供するために、それぞれの各データストリームに対して選択された特定の変調スキーム（例えば、ＢＰＳＫ、ＱＳＰＫ、Ｍ−ＰＳＫ、またはＭ−ＱＡＭ）に基づいて、多重化された、パイロットおよびそれぞれのデータストリームに対するコード化データを変調（すなわち、シンボルマッピング）することができる。１つの例では、それぞれのデータストリームに対するデータレート、コーディング、および変調は、プロセッサ１３３０上で実行および／またはプロセッサ１３３０によって提供される命令によって決定することができる。
【００６２】
次に、すべてのデータストリームに対する変調シンボルをＴＸ ＭＩＭＯプロセッサ１３２０に提供することができ、このＴＸ ＭＩＭＯプロセッサ１３２０は、（例えば、ＯＦＤＭ等のために）変調シンボルをさらに処理することができる。ＴＸ ＭＩＭＯプロセッサ１３２０は、その後、ＮT個のトランシーバ１３２２ａないし１３２２ｔに、ＮT個の変調シンボルストリームを提供することができる。１つの例では、それぞれのトランシーバ１３２２は、各シンボルストリームを受け取って処理し、１つ以上のアナログ信号を提供することができる。それぞれのトランシーバ１３２２は、その後、アナログ信号をさらに調整し（例えば、増幅し、フィルタリングし、およびアップコンバートし）、ＭＩＭＯチャネルを通しての送信に適した変調信号を提供することができる。したがって、その後、トランシーバ１３２２ａないし１３２２ｔからのＮT個の変調信号を、それぞれ、ＮT本のアンテナ１３２４ａないし１３２４ｔから送信することができる。
【００６３】
別の態様にしたがうと、ＮR本のアンテナ１３５２ａないし１３５２ｒによって、受信機システム１３５０において、送信された変調信号を受信することができる。それぞれのアンテナ１３５２からの受信信号を、その後、各トランシーバ１３５４に提供することができる。１つの例では、それぞれのトランシーバ１３５４が、各受信信号を調整し（例えば、フィルタリングし、増幅し、およびダウンコンバートし）、調整した信号をデジタル化してサンプルを提供し、その後、そのサンプルを処理して、対応する「受信した」シンボルストリームを提供することができる。ＲＸ ＭＩＭＯ／データプロセッサ１３６０が、その後、特定の受信機処理技術に基づいて、ＮR個のトランシーバ１３５４からのＮR個の受信シンボルストリームを受け取って処理して、ＮT個の「検出された」シンボルストリームを提供することができる。１つの例では、それぞれの検出したシンボルストリームは、対応するデータストリームに対する送信された変調シンボルの推定であるシンボルを含むことができる。その後、ＲＸ ＭＩＭＯ／データプロセッサ１３６０が、少なくとも一部で、それぞれの検出したシンボルストリームを復調し、デインターリーブし、およびデコードすることによって、それぞれのシンボルストリームを処理して、対応するデータストリームに対するトラフィックデータを復元できる。したがって、ＲＸ ＭＩＭＯ／データプロセッサ１３６０による処理は、送信機システム１３１０においてＴＸ ＭＩＭＯプロセッサ１３２０およびＴＸデータプロセッサ１３１８によって実行される処理と相補的とすることができる。ＲＸ ＭＩＭＯ／データプロセッサ１３６０は、処理したシンボルストリームをデータシンク１３６４に付加的に提供することができる。
【００６４】
１つの態様にしたがうと、ＲＸ ＭＩＭＯ／データプロセッサ１３６０によって発生させたチャネル応答推定を使用して、受信機における空間／時間の処理を実行し、電力レベルを調整し、変調レートまたは変調スキームを変更し、および／または、他の適切なアクションを実行することができる。付加的に、ＲＸ ＭＩＭＯ／データプロセッサ１３６０は、例えば、検出したシンボルストリームの信号対雑音および干渉比（ＳＮＲ）のようなチャネル特性をさらに推定することができる。その後、ＲＸ ＭＩＭＯ／データプロセッサ１３６０は、推定したチャネル特性をプロセッサ１３７０に提供することができる。１つの例では、ＲＸ ＭＩＭＯ／データプロセッサ１３６０および／またはプロセッサ１３７０は、システムに対する「動作」ＳＮＲの推定をさらに導出することができる。プロセッサ１３７０は、その後、チャネル状態情報（ＣＳＩ）を提供し、チャネル状態情報（ＣＳＩ）は、通信リンクおよび／または受信データストリームに関する情報を含むことができる。この情報は、例えば、動作ＳＮＲを含むことができる。ＣＳＩは、その後、ＴＸデータプロセッサ１３１８によって処理することができ、変調器１３８０によって変調することができ、トランシーバ１３５４ａないし１３５４ｒによって調整することができ、および、送信機システム１３１０に返信することができる。加えて、受信機システム１３５０におけるデータソース１３１６は、ＴＸデータプロセッサ１３１８によって処理されることになる付加的なデータを提供することができる。
【００６５】
送信機システム１３１０に戻ると、その後、受信機システム１３５０からの変調信号を、アンテナ１３２４によって受信し、トランシーバ１３２２によって調整し、復調器１３４０によって復調し、および、ＲＸデータプロセッサ１３４２によって処理して、受信機システム１３５０によって報告されたＣＳＩを復元することができる。１つの例では、その後、報告されたＣＳＩが、プロセッサ１３３０に提供され、１つ以上のデータストリームに対して使用されることになる、データレートとともに、コーディングスキームおよび変調スキームを決定するために使用できる。その後、量子化、および／または、受信機システム１３５０に対する後の送信における使用のために、決定したコーディングスキームおよび変調スキームをトランシーバ１３２２に提供することができる。付加的に、および／または、代替的に、報告されたＣＳＩをプロセッサ１３３０によって使用して、ＴＸデータプロセッサ１３１４およびＴＸ ＭＩＭＯプロセッサ１３２０に対するさまざまな制御を発生させることができる。別の例では、ＲＸデータプロセッサ１３４２によって処理されたＣＳＩおよび／または他の情報を、データシンク１３４４に提供することができる。
【００６６】
１つの例では、送信機システム１３１０におけるプロセッサ１３３０と受信機システム１３５０におけるプロセッサ１３７０とが、それらの各システムにおける動作を管理する。付加的に、送信機システム１３１０におけるメモリ１３３２および受信機システム１３５０におけるメモリ１３７２は、それぞれ、プロセッサ１３３０とプロセッサ１３７０とによって使用されるプログラムコードおよびデータのための記憶装置を提供することができる。さらに、受信機システム１３５０において、さまざまな処理技術を使用して、ＮR個の受信信号を処理し、ＮT個の送信シンボルストリームを検出することができる。これらの受信機処理技術は、空間および時空の受信機処理技術を、および／または、「連続的なヌリング／等化および干渉消去」受信機処理技術を含むことができ、空間および時空の受信機処理技術は、等化技術とも呼ぶことができ、「連続的なヌリング／等化および干渉消去」受信機処理技術は、「連続的な干渉消去」または「連続的な消去」受信機処理技術とも呼ぶことができる。
【００６７】
ここで記述した態様は、ハードウェア、ソフトウェア、ファームウェア、ミドルウェア、マイクロコード、またはこれらの任意の組み合わせによって実現することができることを理解すべきである。ソフトウェア、ファームウェア、ミドルウェアまたはマイクロコード、プログラムコードまたはコードセグメントで、システムおよび／または方法を実現したとき、記憶コンポーネントのような機械読み取り可能媒体で記憶することができる。コードセグメントは、手順、関数、サブプログラム、プログラム、ルーチン、サブルーチン、モジュール、ソフトウェアパッケージ、クラス、または、命令、データ構成、またはプログラムステートメントのうちの任意のものを組み合わせたものを表すことができる。コードセグメントは、情報、データ、変数、パラメータ、またはメモリコンテンツをパッシング、および／または、受け取ることによって、別のコードセグメントまたはハードウェア回路に結合することができる。メモリ共有、メッセージパッシング、トークンパッシング、ネットワーク送信等を含む何らかの適した手段を使用して、情報、変数、パラメータ、データ等は、パッシング、転送、または送信することができる。
【００６８】
ソフトウェアのインプリメンテーションのために、ここで記述した機能を実行するモジュール（例えば、手順、関数等）により、ここで記述した技術を実現することができる。ソフトウェアコードは、メモリユニット中に記憶されて、プロセッサによって実行することができる。メモリユニットが、技術的に知られているようなさまざまな手段を介して、プロセッサに通信可能に結合することができるケースにおいて、メモリユニットは、プロセッサの内部またはプロセッサの外部で実現することができる。
【００６９】
先に記述していることは、１つ以上の態様の例を含んでいる。当然、先に言及した態様を記述する目的のために、コンポーネントまたは方法論のすべての考えられる組み合わせを記述することは不可能であるが、当業者は、さまざまな態様の多くのさらなる組み合わせおよび置換が可能であることを認識することができる。したがって、記述した態様は、添付の特許請求の範囲の精神および範囲内にある、すべてのこのような変更、修正、およびバリエーションを含むことを意図している。さらには、用語「含む」が詳細な説明または特許請求の範囲のいずれかで使用される限り、このような用語は、請求項中で移行語として用いられるときに「具備する」が解釈されるように、用語「具備する」に類似する態様で包括的であることが意図されている。さらには、詳細な説明または特許請求の範囲のいずれかで使用される用語「または」は、「非排他的な、または」であることを意味する。
以下に、本願出願の当初の特許請求の範囲に記載された発明を付記する。
［１］
方法において、
中継ノードと通信する１つ以上のユーザ機器（ＵＥ）に関連する１つ以上のパラメータを受信することと、
前記１つ以上のパラメータに少なくとも部分的に基づいて、前記中継ノードに対する電力調整値を決定することと、
前記電力調整値を含む電力コマンドを前記中継ノードに送信することとを含む方法。
［２］
前記１つ以上のパラメータを受信することは、前記中継ノードと通信する前記１つ以上のＵＥに関連する信号対干渉および雑音比（ＳＩＮＲ）を受信することを含む［１］の方法。
［３］
前記中継ノードに対する電力調整値を決定することは、前記ＳＩＮＲを、１つ以上のしきい値のＳＩＮＲ値と比較することに少なくとも部分的に基づく［２］の方法。
［４］
前記中継ノードに対する電力調整値を決定することは、前記ＳＩＮＲを、１つ以上の異なるＵＥの１つ以上の付加的なＳＩＮＲと平均することに少なくとも部分的に基づく［２］の方法。
［５］
前記１つ以上のパラメータを受信することは、前記１つ以上のＵＥとの通信からの、前記中継ノード上の負荷に対応する１つ以上のパラメータを受信することを含む［１］の方法。
［６］
前記中継ノードから、信号対干渉および雑音比（ＳＩＮＲ）を受信することをさらに含む［１］の方法。
［７］
前記中継ノードからの前記ＳＩＮＲに少なくとも部分的に基づいて、ダウンリンクの送信電力を調整することをさらに含む［６］の方法。
［８］
ワイヤレス通信装置において、
１つ以上のユーザ機器（ＵＥ）と中継ノードとの間の通信のための１つ以上のパラメータを取得し、
前記１つ以上のパラメータに少なくとも部分的に基づいて、前記中継ノードに対する電力調整値を計算し、
前記電力調整値を前記中継ノードに送信する
ように構成されている少なくとも１つのプロセッサと、前記少なくとも１つのプロセッサに結合されているメモリと
を具備するワイヤレス通信装置。
［９］
前記１つ以上のパラメータは、前記１つ以上のＵＥにおける、前記中継ノードからのダウンリンクの通信に関連する信号対干渉および雑音比（ＳＩＮＲ）を含む［８］のワイヤレス通信装置。
［１０］
前記少なくとも１つのプロセッサは、前記ＳＩＮＲを、しきい値ＳＩＮＲと比較することに少なくとも部分的に基づいて、前記電力調整値を計算する［９］のワイヤレス通信装置。
［１１］
前記少なくとも１つのプロセッサは、前記ＳＩＮＲを、前記中継ノードと通信する１つ以上の異なるＵＥに関連する１つ以上の異なるＳＩＮＲと平均することに少なくとも部分的に基づいて、前記電力調整値を計算する［９］のワイヤレス通信装置。
［１２］
前記１つ以上のパラメータは、前記１つ以上のＵＥとの通信に関連する前記中継ノード上の負荷に関連する［８］のワイヤレス通信装置。
［１３］
前記少なくとも１つのプロセッサは、
前記中継ノードから信号対干渉および雑音比（ＳＩＮＲ）を受信し、
前記ＳＩＮＲに少なくとも部分的に基づいて、異なる電力調整値を発生させ、
前記異なる電力調整値に少なくとも部分的に基づいて、ダウンリンクの送信電力を調整するようにさらに構成されている［８］のワイヤレス通信装置。
［１４］
装置において、
中継ノードと通信する１つ以上のユーザ機器（ＵＥ）に関連する１つ以上のパラメータを受信する手段と、
前記１つ以上のパラメータに少なくとも部分的に基づいて、前記中継ノードに対する電力調整値を決定する手段と、
前記電力調整値を含む電力コマンドを前記中継ノードに送信する手段とを備える装置。
［１５］
前記１つ以上のパラメータは、前記１つ以上のＵＥにおける、前記中継ノードからのダウンリンク通信に関連する信号対干渉および雑音比（ＳＩＮＲ）を含む［１４］の装置。
［１６］
前記１つ以上のパラメータは、前記１つ以上のＵＥとの通信に関連する前記中継ノード上の負荷に関連する［１４］の装置。
［１７］
前記中継ノードから信号対干渉および雑音比（ＳＩＮＲ）を受信する手段と、
前記中継ノードからの前記ＳＩＮＲに少なくとも部分的に基づいて、ダウンリンクの送信電力を調整する手段とをさらに具備する［１４］の装置。
［１８］
コンピュータプログラムプロダクトにおいて、
１つ以上のユーザ機器（ＵＥ）と中継ノードとの間の通信のために１つ以上のパラメータを少なくとも１つのコンピュータに取得させるためのコードと、
前記１つ以上のパラメータに少なくとも部分的に基づいて、前記中継ノードに対する電力調整値を前記少なくとも１つのコンピュータに発生させるためのコードと、
前記電力調整値を前記中継ノードに前記少なくとも１つのコンピュータに送信させるためのコードとを含むコンピュータ読み取り可能媒体を具備するコンピュータプログラムプロダクト。
［１９］
前記１つ以上のパラメータは、前記１つ以上のＵＥにおける前記中継ノードからのダウンリンクの通信に関連する信号対干渉および雑音比（ＳＩＮＲ）を含む［１８］のコンピュータプログラムプロダクト。
［２０］
前記電力調整値を前記少なくとも１つのコンピュータに発生させるための前記コードは、前記ＳＩＮＲを、しきい値ＳＩＮＲと比較することに少なくとも部分的に基づいて前記電力調整値を発生させる［１９］のコンピュータプログラムプロダクト。
［２１］
前記電力調整値を前記少なくとも１つのコンピュータに発生させるための前記コードは、前記ＳＩＮＲを、前記中継ノードと通信する１つ以上の異なるＵＥに関連する１つ以上の異なるＳＩＮＲと平均することに少なくとも部分的に基づいて前記電力調整値を発生させる［１９］のコンピュータプログラムプロダクト。
［２２］
前記１つ以上のパラメータは、前記１つ以上のＵＥとの通信に関連する前記中継ノード上の負荷に関連する［１８］のコンピュータプログラムプロダクト。
［２３］
前記コンピュータ読み取り可能媒体は、
前記中継ノードから信号対干渉および雑音比（ＳＩＮＲ）を前記少なくとも１つのコンピュータに受信させるためのコードと、
前記ＳＩＮＲに少なくとも部分的に基づいて、異なる電力調整値を前記少なくとも１つのコンピュータに発生させるためのコードと、
前記異なる電力調整値に少なくとも部分的に基づいて、ダウンリンクの送信電力を前記少なくとも１つのコンピュータに調整させるためのコードとをさらに含む［１８］のコンピュータプログラムプロダクト。
［２４］
装置において、
中継ノードと通信する１つ以上のユーザ機器（ＵＥ）に関連する１つ以上のパラメータを取得する通信パラメータ受信コンポーネントと、
前記１つ以上のパラメータに少なくとも部分に基づいて、前記中継ノードに対する電力調整値を発生させる電力調整決定コンポーネントと、
前記電力調整値を含む電力コマンドを前記中継ノードに送信する電力コマンド発行コンポーネントとを具備する装置。
［２５］
前記１つ以上のパラメータは、前記１つ以上のＵＥにおける、前記中継ノードからのダウンリンク通信に関連する信号対干渉および雑音比（ＳＩＮＲ）を含む［２４］の装置。
［２６］
前記１つ以上のパラメータは、前記１つ以上のＵＥとの通信に関連する前記中継ノード上の負荷に関連する［２４］の装置。
［２７］
前記中継ノードから信号対干渉および雑音比（ＳＩＮＲ）を取得するＳＩＮＲ受信コンポーネントと、
前記中継ノードからの前記ＳＩＮＲに少なくとも部分的に基づいて、ダウンリンクの送信電力を変更する電力調整コンポーネントとをさらに具備する［２４］の装置。
［２８］
方法において、
１つ以上のユーザ機器（ＵＥ）との通信に関連する１つ以上のパラメータをアクセスポイントに提供することと、
前記１つ以上のパラメータに応答して、前記アクセスポイントから電力調整値を受信することと、
前記電力調整値にしたがって、ダウンリンクの送信電力を調整することとを含む方法。
［２９］
前記１つ以上のＵＥとの通信に少なくとも部分的に基づいて、負荷を決定することをさらに含み、前記１つ以上のパラメータを提供することは、前記負荷に関連する１つ以上のパラメータを提供することを含む［２８］の方法。
［３０］
前記１つ以上のパラメータを提供することは、前記１つ以上のＵＥのうちの少なくとも１つから受信した信号対干渉および雑音比（ＳＩＮＲ）を送信することを含む［２８］の方法。
［３１］
前記アクセスポイントとの通信に関連する信号対干渉および雑音比（ＳＩＮＲ）を測定することと、
前記ＳＩＮＲを前記アクセスポイントに送信することとをさらに含む［２８］の方法。
［３２］
ワイヤレス通信装置において、
１つ以上のユーザ機器（ＵＥ）との通信に関連する１つ以上のパラメータをアクセスポイントに通信し、
前記１つ以上のパラメータに少なくとも部分的に基づいて、前記アクセスポイントから電力調整値を取得し、
前記電力調整値にしたがって、ダウンリンクの送信電力を変更するように構成されている少なくとも１つのプロセッサと、
前記少なくとも１つのプロセッサに結合されているメモリとを具備するワイヤレス通信装置。
［３３］
前記少なくとも１つのプロセッサは、前記１つ以上のＵＥに少なくとも部分的に基づいて、負荷を決定するようにさらに構成され、前記１つ以上のパラメータは、前記負荷に関連する［３２］のワイヤレス通信装置。
［３４］
前記１つ以上のパラメータは、前記１つ以上のＵＥのうちの少なくとも１つから受信した信号対干渉および雑音比（ＳＩＮＲ）に対応する［３２］のワイヤレス通信装置。
［３５］
前記少なくとも１つのプロセッサは、
前記アクセスポイントとの通信に関連する信号対干渉および雑音比（ＳＩＮＲ）を決定し、
前記ＳＩＮＲを前記アクセスポイントに通信するようにさらに構成されている［３２］のワイヤレス通信装置。
［３６］
装置において、
１つ以上のユーザ機器（ＵＥ）との通信に関連する１つ以上のパラメータをアクセスポイントに提供する手段と、
前記１つ以上のパラメータに少なくとも部分的に基づいて、前記アクセスポイントから電力調整値を受信する手段と、
前記電力調整値にしたがって、ダウンリンクの送信電力を調整する手段とを具備する装置。
［３７］
前記１つ以上のパラメータは、負荷に関連し、前記１つ以上のパラメータを提供する前記手段は、前記１つ以上のＵＥとの通信に少なくとも部分的に基づいて前記負荷を計算する［３６］の装置。
［３８］
前記１つ以上のパラメータは、前記１つ以上のＵＥのうちの少なくとも１つから受信した信号対干渉および雑音比（ＳＩＮＲ）に関連する［３６］の装置。
［３９］
前記アクセスポイントとの通信に関連する信号対干渉および雑音比（ＳＩＮＲ）を測定する手段と、
前記ＳＩＮＲを前記アクセスポイントに送信する手段とをさらに具備する［３６］の装置。
［４０］
コンピュータプログラムプロダクトにおいて、
少なくとも１つのコンピュータに、１つ以上のユーザ機器（ＵＥ）との通信に関連する１つ以上のパラメータをアクセスポイントに通信させるためのコードと、
前記１つ以上のパラメータに少なくとも部分的に基づいて、前記アクセスポイントから電力調整値を前記少なくとも１つのコンピュータに取得させるためのコードと、
前記電力調整値にしたがって、ダウンリンクの送信電力を前記少なくとも１つのコンピュータに変更させるためのコードとを含むコンピュータ読み取り可能媒体を具備するコンピュータプログラムプロダクト。
［４１］
前記コンピュータ読み取り可能媒体は、前記１つ以上のＵＥに少なくとも部分的に基づいて、負荷を前記少なくとも１つのコンピュータに決定させるためのコードをさらに含み、前記１つ以上のパラメータは、前記負荷に関連する［４０］のコンピュータプログラムプロダクト。
［４２］
前記１つ以上のパラメータは、前記１つ以上のＵＥのうちの少なくとも１つから受信した信号対干渉および雑音比（ＳＩＮＲ）に対応する［４０］のコンピュータプログラムプロダクト。
［４３］
前記コンピュータ読み取り可能媒体は、
前記アクセスポイントとの通信に関連する信号対干渉および雑音比（ＳＩＮＲ）を前記少なくとも１つのコンピュータに決定させるためのコードと、
前記少なくとも１つのコンピュータに、前記ＳＩＮＲを前記アクセスポイントに通信させるためのコードとをさらに含む［４０］のコンピュータプログラムプロダクト。
［４４］
装置において、
１つ以上のユーザ機器（ＵＥ）との通信に関連する１つ以上のパラメータをアクセスポイントに提供するコンポーネントと、
前記１つ以上のパラメータに少なくとも部分的に基づいて、前記アクセスポイントから電力調整値を取得する電力調整受信コンポーネントと、
前記電力調整値にしたがって、ダウンリンクの送信電力を変更する電力調整コンポーネントとを具備する装置。
［４５］
前記１つ以上のパラメータは、負荷に関連し、前記１つ以上のパラメータを前記アクセスポイントに提供する前記コンポーネントは、前記１つ以上のＵＥとの通信に少なくとも部分的に基づいて前記負荷を計算する負荷パラメータ提供コンポーネントである［４４］の装置。
［４６］
前記１つ以上のパラメータは、前記１つ以上のＵＥのうちの少なくとも１つから受信した信号対干渉および雑音比（ＳＩＮＲ）に関連し、前記１つ以上のパラメータを前記アクセスポイントに提供する前記コンポーネントは、通信転送コンポーネントである［４４］の装置。
［４７］
前記アクセスポイントとの通信に関連する信号対干渉および雑音比（ＳＩＮＲ）を決定するＳＩＮＲ測定コンポーネントと、
前記ＳＩＮＲを前記アクセスポイントに送信するＳＩＮＲ通信コンポーネントとをさらに具備する［４４］の装置。
【図１】
0005607178.tif 000002
【図２】
0005607178.tif 000003
【図３】
0005607178.tif 000004
【図４】
0005607178.tif 000005
【図５】
0005607178.tif 000006
【図６】
0005607178.tif 000007
【図７】
0005607178.tif 000008
【図８】
0005607178.tif 000009
【図９】
0005607178.tif 000010
【図１０】
0005607178.tif 000011
【図１１】
0005607178.tif 000012
【図１２】
0005607178.tif 000013
【図１３】
0005607178.tif 000014